【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
一連のフレームのうちのフレームに関連するスーパーピクセルのライフサイクル管理のための方法であって、
前記スーパーピクセルの面積が指定された第１の値よりも小さくなった場合、フレーム内の前記スーパーピクセルを終了するステップと、
前記スーパーピクセルの前記面積が指定された第２の値よりも大きくなった場合、前記フレーム内の前記スーパーピクセルを分離するステップと、
を含む、前記方法。
【請求項２】
フレーム当たりのスーパーピクセル数を本質的に一定に保つために、スーパーピクセルの終了数とスーパーピクセルの分離数の平衡を取るステップをさらに含む、請求項１に記載の方法。
【請求項３】
第１のフレーム内の前記スーパーピクセルのインスタンスと、前記一連のフレームのうちの後のフレーム内の前記スーパーピクセルのインスタンスとの間の類似性を求めるステップと、
前記決定された類似性を閾値と比較するステップと、
前記類似性が前記閾値未満である場合、後続のフレーム内の前記スーパーピクセルを、新しい時間的に整合性のあるスーパーピクセルにより置き換えるステップと、
をさらに含む、請求項１または２に記載の方法。
【請求項４】
一連のフレームのうちのフレームに関連するスーパーピクセルのライフサイクル管理のための装置であって、
前記スーパーピクセルの面積が指定された第１の値よりも小さくなった場合、フレーム内の前記スーパーピクセルを終了するように構成された終了部と、
前記スーパーピクセルの前記面積が指定された第２の値よりも大きくなった場合、前記フレーム内の前記スーパーピクセルを分離するように構成された分離部と、
を備えることを特徴とする、前記装置。
【請求項５】
第１のフレーム内の前記スーパーピクセルのインスタンスと、前記一連のフレームのうちの後のフレーム内の前記スーパーピクセルのインスタンスとの間の類似性を求めるように構成された決定部と、
前記決定された類似性を閾値と比較するように構成された比較部と、
前記類似性が前記閾値未満である場合、後続のフレームにおいて前記スーパーピクセルを、新しい時間的に整合性のあるスーパーピクセルにより置き換えるように構成された置換ユニットと、
をさらに備える、請求項４に記載の装置。
【請求項６】
一連のフレームのうちのフレームに関連するスーパーピクセルのライフサイクル管理をイネーブルする命令を含むコンピュータプログラムであって、前記命令は、コンピュータによって実行されるとき、前記コンピュータに、
前記スーパーピクセルの面積が指定された第１の値よりも小さくなった場合、フレーム内の前記スーパーピクセルを終了させ、
前記スーパーピクセルの前記面積が指定された第２の値よりも大きくなった場合、前記フレーム内の前記スーパーピクセルを分離させる、前記コンピュータプログラム。
【手続補正２】
【補正対象書類名】明細書
【補正対象項目名】００６２
【補正方法】変更
【補正の内容】
【００６２】
図８および図９の方法を実施するように構成された装置１０が、図１０に概略的に示されている。装置１０は、一連のフレームを受け取る入力と、受信したフレームに関するスーパーピクセルを生成する処理部１２とを有する。比較部１３が、フレームのシーケンスの現フレームと後のフレームとの間のスーパーピクセルによって占められる面積の変化を決定する（１）ように構成される。終了部１４が、スーパーピクセルの面積が指定の第１の値よりも小さくなった場合、後のフレームにおいてスーパーピクセルを終了する（２）ように構成される。さらに、分離部１５が、スーパーピクセルの面積が指定の第２の値よりも大きくなった場合、後のフレームにおいてスーパーピクセルを分離する（３）ように構成される。好ましくは、装置１０は、第１のフレーム内のスーパーピクセルのインスタンスと、一連のフレームのうちの後のフレーム内のスーパーピクセルのインスタンスとの間の類似性を決定する（４）ように構成された決定部１６をさらに備える。別の比較部１７が、求めた類似性を閾値と比較する（５）ように構成される。類似性が閾値未満である場合、後続のフレーム内のスーパーピクセルを、新しい時間的に整合性のあるスーパーピクセルで置き換える（６）ように構成される置換部１８がさらに設けられる。いずれの場合も、得られるスーパーピクセルが、出力１９を介して出力される。もちろん、様々な要素のうちの２つ以上を同様に単一の要素として組み合わせることができる。
ここで例としていくつかの付記を記載する。
（付記１）
一連のフレームのうちのフレームに関連するスーパーピクセルのライフサイクル管理のための方法であって、
前記スーパーピクセルの面積が指定された第１の値よりも小さくなった場合、フレーム内の前記スーパーピクセルを終了するステップ（２）と、
前記スーパーピクセルの前記面積が指定された第２の値よりも大きくなった場合、前記フレーム内の前記スーパーピクセルを分離するステップ（３）と、
を含む、前記方法。
（付記２）
フレーム当たりのスーパーピクセル数を本質的に一定に保つために、スーパーピクセルの終了数とスーパーピクセルの分離数の平衡を取るステップをさらに含む、付記１に記載の方法。
（付記３）
第１のフレーム内の前記スーパーピクセルのインスタンスと、前記一連のフレームのうちの後のフレーム内の前記スーパーピクセルのインスタンスとの間の類似性を求めるステップ（４）と、
前記決定された類似性を閾値と比較するステップ（５）と、
前記類似性が前記閾値未満である場合、後続のフレーム内の前記スーパーピクセルを、新しい時間的に整合性のあるスーパーピクセルにより置き換えるステップ（６）と、
をさらに含む、付記１または２に記載の方法。
（付記４）
一連のフレームのうちのフレームに関連するスーパーピクセルのライフサイクル管理のための装置（１０）であって、
前記スーパーピクセルの面積が指定された第１の値よりも小さくなった場合、フレーム内の前記スーパーピクセルを終了する（２）ように構成された終了部（１４）と、
前記スーパーピクセルの前記面積が指定された第２の値よりも大きくなった場合、前記フレーム内の前記スーパーピクセルを分離する（３）ように構成された分離部（１５）と、
を備えることを特徴とする、前記装置（１０）。
（付記５）
第１のフレーム内の前記スーパーピクセルのインスタンスと、前記一連のフレームのうちの後のフレーム内の前記スーパーピクセルのインスタンスとの間の類似性を求める（４）ように構成された決定部（１７）と、
前記決定された類似性を閾値と比較する（５）ように構成された比較部（１８）と、
前記類似性が前記閾値未満である場合、後続のフレームにおいて前記スーパーピクセルを、新しい時間的に整合性のあるスーパーピクセルにより置き換える（６）ように構成された置換ユニット（１９）と、
をさらに備える、付記４に記載の装置（１０）。
（付記６）
一連のフレームのうちのフレームに関連するスーパーピクセルのライフサイクル管理をイネーブルする命令をその中に格納しているコンピュータ可読記憶媒体であって、前記命令は、コンピュータによって実行されるとき、前記コンピュータに、
前記スーパーピクセルの面積が指定された第１の値よりも小さくなった場合、フレーム内の前記スーパーピクセルを終了させ（２）、
前記スーパーピクセルの前記面積が指定された第２の値よりも大きくなった場合、前記フレーム内の前記スーパーピクセルを分離させる（３）、前記コンピュータ可読記憶媒体。